(57)【特許請求の範囲】
【請求項１】
空気を吸い込んで浄化し、浄化された空気を吹き出すことにより、清浄空気吹き出し口（１２０）の前方所定位置に清浄空間を形成する局所清浄型空気清浄機本体（１１０）と、局所清浄型空気清浄機本体（１１０）から分離可能であり、かつ空気の状態を検出する検出手段（１１）を内蔵した遠隔部（８１）とを含み、該遠隔部（８１）は、検出手段（１１）による検出結果を表示する表示手段（８１ｂ）を含んでいるとともに、その１つの外面に表示手段（８１ｂ）、運転指示部のすくなくとも一方を有し、この１つの面の裏側の面から内部の検出手段（１１）に空気を導くよう構成されていることを特徴とする局所清浄型空気清浄機。
【請求項２】
空気を吸い込んで浄化し、浄化された空気を吹き出すことにより、清浄空気吹き出し口（１２０）の前方所定位置に清浄空間を形成する局所清浄型空気清浄機本体（１１０）と、局所清浄型空気清浄機本体（１１０）から分離可能であり、かつ空気の状態を検出する検出手段（１１）を内蔵した遠隔部（８１）とを含み、該遠隔部（８１）は、検出手段（１１）による検出結果を表示する表示手段（８１ｂ）を含んでいるとともに、検出手段（１１）を通過する空気が上から下に流れるように構成されていることを特徴とする局所清浄型空気清浄機。
【請求項３】
空気を吸い込んで浄化し、浄化された空気を吹き出すことにより、清浄空気吹き出し口（１２０）の前方所定位置に清浄空間を形成する局所清浄型空気清浄機本体（１１０）と、局所清浄型空気清浄機本体（１１０）から分離可能であり、かつ空気の状態を検出する検出手段（１１）を内蔵した遠隔部（８１）とを含み、該遠隔部（８１）は、検出手段（１１）による検出結果を表示する表示手段（８１ｂ）を含んでいるとともに、検出手段（１１）に空気を導くべくケーシング（８１ａ）の上部に形成された空気吸い込み口（８１ｄ）と、検出手段（１１）を通過した空気を排出すべくケーシング（８１ａ）の下部に形成された空気排出口（８１ｃ）とを有し、前記空気吸い込み口（８１ｄ）、空気排出口（８１ｃ）は、ケーシング（８１ａ）の互いに相対する面に形成されていることを特徴とする局所清浄型空気清浄機。
【請求項４】
空気を吸い込んで浄化し、浄化された空気を吹き出すことにより、清浄空気吹き出し口（１２０）の前方所定位置に清浄空間を形成する局所清浄型空気清浄機本体（１１０）と、局所清浄型空気清浄機本体（１１０）から分離可能であり、かつ空気の状態を検出する検出手段（１１）を内蔵した遠隔部（８１）とを含み、該遠隔部（８１）は、検出手段（１１）による検出結果を表示する表示手段（８１ｂ）を含んでおり、しかも、検出手段（１１）を通過する空気が下から上に流れるように構成しているとともに、空気流路を発熱部の近傍に位置させていることを特徴とする局所清浄型空気清浄機。
【請求項５】
前記検出手段は、空気の状態の検出のために気流を計測するものである請求項１から請求項４の何れかに記載の局所清浄型空気清浄機。
【請求項６】
前記検出手段は、気流の計測のために風速を計測するものである請求項５に記載の局所清浄型空気清浄機。
【請求項７】
前記検出手段は、気流の計測のために風向を計測するものである請求項５または請求項６に記載の局所清浄型空気清浄機。
【請求項８】
前記検出手段（１０）は、空気の状態として空気の汚れ度を計測するものである請求項１から請求項４の何れかに記載の局所清浄型空気清浄機。
【請求項９】
前記検出手段（１０）は、空気の汚れ度として空気中の塵埃を計測するものである請求項８に記載の局所清浄型空気清浄機。
【請求項１０】
前記検出手段は、空気の汚れ度として空気中のガス成分を計測するものである請求項８または請求項９に記載の局所清浄型空気清浄機。
【請求項１１】
前記検出手段は、空気の汚れ度として空気中のアレルゲン量を計測するものである請求項８から請求項１０の何れかに記載の局所清浄型空気清浄機。
【請求項１２】
前記検出手段（１１）は、空気の汚れ度として空気中の塵埃量を計測し、塵埃量とアレルゲン量との相関と、計測された塵埃量とから空気中のアレルゲン量を算出するものである請求項１１に記載の局所清浄型空気清浄機。
【請求項１３】
前記局所清浄型空気清浄機本体（１１０）と遠隔部（８１）とは電気的に接続されている請求項１から請求項１２の何れかに記載の局所清浄型空気清浄機。
【請求項１４】
前記局所清浄型空気清浄機本体（１１０）と遠隔部（８１）とは電気的に分離されている請求項１から請求項１２の何れかに記載の局所清浄型空気清浄機。
【請求項１５】
前記遠隔部（８１）は、局所清浄型空気清浄機本体（１１０）からの電源の供給、商用交流電源からの電源の供給の何れをも受け入れ可能な電源受け入れ部を有している請求項１から請求項１２の何れかに記載の局所清浄型空気清浄機。
【請求項１６】
前記局所清浄型空気清浄機本体（１１０）は、検出手段（１１）による検出結果を表示する表示手段を含んでいる請求項１から請求項１５の何れかに記載の局所清浄型空気清浄機。
【請求項１７】
前記遠隔部（８１）は、検出手段（１１）による検出結果を局所清浄型空気清浄機本体（１１０）へ送信する送信手段を含んでいる請求項１から請求項１６の何れかに記載の局所清浄型空気清浄機。
【請求項１８】
前記遠隔部（８１）は、局所清浄型空気清浄機本体（１１０）の運転を行わせるための運転指示手段を含んでいる請求項１から請求項１７の何れかに記載の局所清浄型空気清浄機。
【請求項１９】
前記局所清浄型空気清浄機本体（１１０）は、検出手段（１１）による検出結果に応答して自動運転を行う自動運転手段を含んでいる請求項１から請求項１８の何れかに記載の局所清浄型空気清浄機。
【請求項２０】
清浄空気吹き出し口（１２０）と清浄空間との距離は、３０ｃｍ以上、かつ１５０ｃｍ以下の所定距離である請求項１から請求項１９の何れかに記載の局所清浄型空気清浄機。
【発明の詳細な説明】
【０００１】
【発明の属する技術分野】
この発明は、空気を吸い込んで浄化し、浄化された空気を吹き出すことにより、清浄空気吹き出し口の前方に局所的な清浄空間を形成するための局所清浄型空気清浄機に関する。
【０００２】
【従来の技術】
従来から、空気を吸い込んで浄化し、浄化された空気を吹き出すように構成した空気清浄機が提案され、また提供されている。
【０００３】
そして、このような従来の空気清浄機は、一般に、ケーシングの内部にファン、およびフィルタを有しているとともに、吸い込み空気の汚れ度を検出するセンサを有している。
【０００４】
このような構成の空気清浄機を採用した場合には、ファンを動作させて空気を吸い込み、フィルタにより浄化して吹き出すことにより、空気清浄機が設置されている空間内の空気を浄化することができる。そして、吸い込み空気の汚れ度をセンサにより検出することができる。したがって、この検出結果から上記空間内の空気の浄化がどの程度達成されているかを判定することができる。
【０００５】
【発明が解決しようとする課題】
上記の構成の空気清浄機を採用した場合には、空気清浄機が設置されている空間内の全空気を浄化するのであるから、所望の清浄度に達するまでの所要時間が長くなり、使用者の呼吸点などの局所を迅速に清浄化することは到底不可能である。
【０００６】
また、使用者にとって最も関心があるのは自身の呼吸点の近傍における空気の汚れ度であるにも拘わらず、実際に検出されるのは吸い込み空気の汚れ度であるから、自身の呼吸点の近傍における空気の汚れ度を知ることが殆ど不可能である。
【０００７】
特に、使用者がアレルギー患者のように清浄な空気が必要な者である場合には、上記の不都合が顕著になり、しかも、これらの不都合は使用者の健康に多大な影響を及ぼすのであるから、到底許容することができない。
【０００８】
さらに詳細に説明する。
【０００９】
一般に布団はダニのすみかであるから、膨大なダニアレルゲン（抗原）をふくんでいる。そして、布団の上げ下ろし、寝返りなどにより布団からの発塵がある場合には、ダニアレルゲンも空気中に飛散するので、寝室などにおいては、リビングルームなどと比較して浮遊アレルゲン量が著しく多い。また、就寝中に発作（主に喘息症状）を起こすアレルギー患者の殆どは、ダニアレルゲンの吸引が原因となって発作を起こすことが知られている。さらに、ダニアレルゲン粒子はハウスダストの一種であり、ハウスダストに付着していることもある。そして、浮遊、飛散、堆積などの粒子としての性質もハウスダストと類似している。この結果、人が歩いただけでも、床からハウスダストのみならず、ダニアレルゲン粒子も舞い上がることになり、アレルギー患者の発作を引き起こすことになってしまう。
【００１０】
したがって、アレルギー患者の呼吸点などを迅速に清浄化することが強く要望されるのであるが、従来の空気清浄機では、この要望を満足させることができない。
【００１１】
また、使用者の呼吸点などを迅速に清浄化しようとすれば、空気清浄機により形成される清浄空間と使用者の呼吸点などとを簡単に、かつ確実に一致させなければならない。しかし、空気清浄機により形成される清浄空間は、明確に目にみえるものではないから、清浄空間と使用者の呼吸点などとを一致させることが困難である。
【００１２】
【発明の目的】
この発明は上記の問題点に鑑みてなされたものであり、清浄空間と使用者の呼吸点などとを簡単に、かつ確実に一致させることができる局所清浄型空気清浄機を提供することを目的としている。
【００１３】
【課題を解決するための手段】
請求項１の局所清浄型空気清浄機は、空気を吸い込んで浄化し、浄化された空気を吹き出すことにより、清浄空気吹き出し口の前方所定位置に清浄空間を形成する局所清浄型空気清浄機本体と、局所清浄型空気清浄機本体から分離可能であり、かつ空気の状態を検出する検出手段を内蔵した遠隔部とを含み、該遠隔部は、検出手段による検出結果を表示する表示手段を含んでいるとともに、その１つの外面に表示手段、運転指示部のすくなくとも一方を有し、この１つの面の裏側の面から内部の検出手段に空気を導くよう構成されているものである。
【００１４】
ここで、「局所清浄型空気清浄機本体から分離可能」とは、局所清浄型空気清浄機本体に収納等しないで局所清浄型空気清浄機本体とは別に存在しているもののみならず、局所清浄型空気清浄機本体に収納でき、かつ必要により分離できるものをも含む用語として使用されている。
【００１５】
請求項２の局所清浄型空気清浄機は、空気を吸い込んで浄化し、浄化された空気を吹き出すことにより、清浄空気吹き出し口の前方所定位置に清浄空間を形成する局所清浄型空気清浄機本体と、局所清浄型空気清浄機本体から分離可能であり、かつ空気の状態を検出する検出手段を内蔵した遠隔部とを含み、該遠隔部は、検出手段による検出結果を表示する表示手段を含んでいるとともに、検出手段を通過する空気が上から下に流れるように構成されているものである。
請求項３の局所清浄型空気清浄機は、空気を吸い込んで浄化し、浄化された空気を吹き出すことにより、清浄空気吹き出し口の前方所定位置に清浄空間を形成する局所清浄型空気清浄機本体と、局所清浄型空気清浄機本体から分離可能であり、かつ空気の状態を検出する検出手段を内蔵した遠隔部とを含み、該遠隔部は、検出手段による検出結果を表示する表示手段を含んでいるとともに、検出手段に空気を導くべく上部に形成された空気吸い込み口と、検出手段を通過した空気を排出すべく下部に形成された空気排出口とを有しているものである。
請求項４の局所清浄型空気清浄機は、空気を吸い込んで浄化し、浄化された空気を吹き出すことにより、清浄空気吹き出し口の前方所定位置に清浄空間を形成する局所清浄型空気清浄機本体と、局所清浄型空気清浄機本体から分離可能であり、かつ空気の状態を検出する検出手段を内蔵した遠隔部とを含み、該遠隔部は、検出手段による検出結果を表示する表示手段を含んでおり、しかも、検出手段を通過する空気が下から上に流れるように構成しているとともに、空気流路を発熱部の近傍に位置させているものである。
請求項５の局所清浄型空気清浄機は、前記検出手段として、空気の状態の検出のために気流を計測するものを採用するものである。
【００１６】
請求項６の局所清浄型空気清浄機は、前記検出手段として、気流の計測のために風速を計測するものを採用するものである。
【００１７】
請求項７の局所清浄型空気清浄機は、前記検出手段として、気流の計測のために風向を計測するものを採用するものである。
【００１８】
請求項８の局所清浄型空気清浄機は、前記検出手段として、空気の状態として空気の汚れ度を計測するものを採用するものである。
【００１９】
請求項９の局所清浄型空気清浄機は、前記検出手段として、空気の汚れ度として空気中の塵埃を計測するものを採用するものである。
【００２０】
請求項１０の局所清浄型空気清浄機は、前記検出手段として、空気の汚れ度として空気中のガス成分を計測するものを採用するものである。
【００２１】
請求項１１の局所清浄型空気清浄機は、前記検出手段として、空気の汚れ度として空気中のアレルゲン量を計測するものを採用するものである。
【００２２】
請求項１２の局所清浄型空気清浄機は、前記検出手段として、空気の汚れ度として空気中の塵埃量を計測し、塵埃量とアレルゲン量との相関と、計測された塵埃量とから空気中のアレルゲン量を算出するものを採用するものである。
【００２３】
請求項１３の局所清浄型空気清浄機は、前記局所清浄型空気清浄機本体と遠隔部とは電気的に接続されたものである。
【００２４】
請求項１４の局所清浄型空気清浄機は、前記局所清浄型空気清浄機本体と遠隔部とが電気的に分離されたものである。
【００２５】
請求項１５の局所清浄型空気清浄機は、前記遠隔部として、局所清浄型空気清浄機本体からの電源の供給、商用交流電源からの電源の供給の何れをも受け入れ可能な電源受け入れ部を有するものを採用するものである。
【００２６】
請求項１６の局所清浄型空気清浄機は、前記局所清浄型空気清浄機本体として、検出手段による検出結果を表示する表示手段を含むものを採用するものである。
【００２８】
請求項１７の局所清浄型空気清浄機は、前記遠隔部として、検出手段による検出結果を局所清浄型空気清浄機本体へ送信する送信手段を含むものを採用するものである。
【００２９】
請求項１８の局所清浄型空気清浄機は、前記遠隔部として、局所清浄型空気清浄機本体の運転を行わせるための運転指示手段を含むものを採用するものである。
【００３０】
請求項１９の局所清浄型空気清浄機は、前記局所清浄型空気清浄機本体として、検出手段による検出結果に応答して自動運転を行う自動運転手段を含むものを採用するものである。
【００３５】
請求項２０の局所清浄型空気清浄機は、清浄空気吹き出し口と清浄空間との距離を、３０ｃｍ以上、かつ１５０ｃｍ以下の所定距離に設定するものである。
【００３７】
【作用】
請求項１の局所清浄型空気清浄機であれば、空気を吸い込んで浄化し、浄化された空気を吹き出すことにより、清浄空気吹き出し口の前方所定位置に清浄空間を形成する局所清浄型空気清浄機本体と、局所清浄型空気清浄機本体から分離可能であり、かつ空気の状態を検出する検出手段を内蔵した遠隔部とを含み、該遠隔部は、検出手段による検出結果を表示する表示手段を含んでいるとともに、その１つの外面に表示手段、運転指示部のすくなくとも一方を有し、この１つの面の裏側の面から内部の検出手段に空気を導くよう構成されているのであるから、就寝中の人の呼吸点などに清浄空気が供給できるように局所清浄型空気清浄機本体の設置位置、風向、風量を設定し、または局所清浄型空気清浄機本体との関係で人が寝る位置を設定する場合に、人の感覚に頼ることなく、遠隔部の検出手段を用いて清浄空間がどこに形成されているかを客観的に把握することができ、使用者の呼吸点などと清浄空間とを一致させることにより、使用者の呼吸点などの局所を迅速に清浄化することができるとともに、局所清浄型空気清浄機本体に必要以上に近づいて圧迫感を感じたり、音に煩わされたり、また局所清浄型空気清浄機本体から離れすぎて十分な清浄空気が得られないなどの不都合の発生を防止することができ、さらに、遠隔部が局所清浄型空気清浄機本体から離れている場合であっても、表示手段による表示を簡単、かつ確実に確認することができ、さらに、使用者が遠隔部を持っている状態において、局所清浄型空気清浄機本体から吹き出される清浄空気をそのまま検出手段に導くことができ、この結果、ファンなどの専用の通風手段を設けることなく、もしくは比較的小型の通風手段を設けるだけで、検出手段に空気を導くことができる。
請求項２の局所清浄型空気清浄機であれば、空気を吸い込んで浄化し、浄化された空気を吹き出すことにより、清浄空気吹き出し口の前方所定位置に清浄空間を形成する局所清浄型空気清浄機本体と、局所清浄型空気清浄機本体から分離可能であり、かつ空気の状態を検出する検出手段を内蔵した遠隔部とを含み、該遠隔部は、検出手段による検出結果を表示する表示手段を含んでいるとともに、検出手段を通過する空気が上から下に流れるように構成されているのであるから、就寝中の人の呼吸点などに清浄空気が供給できるように局所清浄型空気清浄機本体の設置位置、風向、風量を設定し、または局所清浄型空気清浄機本体との関係で人が寝る位置を設定する場合に、人の感覚に頼ることなく、遠隔部の検出手段を用いて清浄空間がどこに形成されているかを客観的に把握することができ、使用者の呼吸点などと清浄空間とを一致させることにより、使用者の呼吸点などの局所を迅速に清浄化することができるとともに、局所清浄型空気清浄機本体に必要以上に近づいて圧迫感を感じたり、音に煩わされたり、また局所清浄型空気清浄機本体から離れすぎて十分な清浄空気が得られないなどの不都合の発生を防止することができ、さらに、遠隔部が局所清浄型空気清浄機本体から離れている場合であっても、表示手段による表示を簡単、かつ確実に確認することができ、さらに、たばこなどの煙と異なり、上昇するものよりも下降するものが多い塵埃、アレルゲンをスムーズに検出手段に導入しやすく、適正な検出を行いやすい。
請求項３の局所清浄型空気清浄機であれば、空気を吸い込んで浄化し、浄化された空気を吹き出すことにより、清浄空気吹き出し口の前方所定位置に清浄空間を形成する局所清浄型空気清浄機本体と、局所清浄型空気清浄機本体から分離可能であり、かつ空気の状態を検出する検出手段を内蔵した遠隔部とを含み、該遠隔部は、検出手段による検出結果を表示する表示手段を含んでいるとともに、検出手段に空気を導くべくケーシングの上部に形成された空気吸い込み口と、検出手段を通過した空気を排出すべくケーシングの下部に形成された空気排出口とを有しているのであるから、就寝中の人の呼吸点などに清浄空気が供給できるように局所清浄型空気清浄機本体の設置位置、風向、風量を設定し、または局所清浄型空気清浄機本体との関係で人が寝る位置を設定する場合に、人の感覚に頼ることなく、遠隔部の検出手段を用いて清浄空間がどこに形成されているかを客観的に把握することができ、使用者の呼吸点などと清浄空間とを一致させることにより、使用者の呼吸点などの局所を迅速に清浄化することができるとともに、局所清浄型空気清浄機本体に必要以上に近づいて圧迫感を感じたり、音に煩わされたり、また局所清浄型空気清浄機本体から離れすぎて十分な清浄空気が得られないなどの不都合の発生を防止することができ、さらに、遠隔部が局所清浄型空気清浄機本体から離れている場合であっても、表示手段による表示を簡単、かつ確実に確認することができ、さらに、たばこなどの煙と異なり、上昇するものよりも下降するものが多い塵埃、アレルゲンをスムーズに検出手段に導入しやすく、適正な検出を行いやすい。
請求項４の局所清浄型空気清浄機であれば、空気を吸い込んで浄化し、浄化された空気を吹き出すことにより、清浄空気吹き出し口の前方所定位置に清浄空間を形成する局所清浄型空気清浄機本体と、局所清浄型空気清浄機本体から分離可能であり、かつ空気の状態を検出する検出手段を内蔵した遠隔部とを含み、該遠隔部は、検出手段による検出結果を表示する表示手段を含んでおり、しかも、検出手段を通過する空気が下から上に流れるように構成しているとともに、空気流路を発熱部の近傍に位置させているのであるから、就寝中の人の呼吸点などに清浄空気が供給できるように局所清浄型空気清浄機本体の設置位置、風向、風量を設定し、または局所清浄型空気清浄機本体との関係で人が寝る位置を設定する場合に、人の感覚に頼ることなく、遠隔部の検出手段を用いて清浄空間がどこに形成されているかを客観的に把握することができ、使用者の呼吸点などと清浄空間とを一致させることにより、使用者の呼吸点などの局所を迅速に清浄化することができるとともに、局所清浄型空気清浄機本体に必要以上に近づいて圧迫感を感じたり、音に煩わされたり、また局所清浄型空気清浄機本体から離れすぎて十分な清浄空気が得られないなどの不都合の発生を防止することができ、さらに、遠隔部が局所清浄型空気清浄機本体から離れている場合であっても、表示手段による表示を簡単、かつ確実に確認することができ、さらに、上昇するものが多いたばこの煙、ガスなどをスムーズに検出手段に導入しやすく、適正な検出を行いやすい。
【００３８】
請求項５の局所清浄型空気清浄機であれば、前記検出手段として、空気の状態の検出のために気流を計測するものを採用するのであるから、気流を計測することにより、どこが清浄空間であるかを判別することができ、使用者の呼吸点などと清浄空間とを一致させることにより、請求項１から請求項４の何れかと同様の作用を達成することができる。
【００３９】
請求項６の局所清浄型空気清浄機であれば、前記検出手段として、気流の計測のために風速を計測するものを採用するのであるから、風速を計測することにより気流の計測結果を得ることができ、気流の計測結果からどこが清浄空間であるかを判別することができ、使用者の呼吸点などと清浄空間とを一致させることにより、請求項５と同様の作用を達成することができる。
【００４０】
請求項７の局所清浄型空気清浄機であれば、前記検出手段として、気流の計測のために風向を計測するものを採用するのであるから、風向を計測することにより気流の計測結果を得ることができ、気流の計測結果からどこが清浄空間であるかを判別することができ、使用者の呼吸点などと清浄空間とを一致させることにより、請求項５または請求項６と同様の作用を達成することができる。
【００４１】
請求項８の局所清浄型空気清浄機であれば、前記検出手段として、空気の状態として空気の汚れ度を計測するものを採用するのであるから、空気の汚れ度を計測することにより、どこが清浄空間であるかを判別することができ、使用者の呼吸点などと清浄空間とを一致させることにより、請求項１から請求項４の何れかと同様の作用を達成することができる。
【００４２】
請求項９の局所清浄型空気清浄機であれば、前記検出手段として、空気の汚れ度として空気中の塵埃を計測するものを採用するのであるから、空気中の塵埃を計測することにより空気の汚れ度の計測結果を得ることができ、空気の汚れ度の計測結果からどこが清浄空間であるかを判別することができ、使用者の呼吸点などと清浄空間とを一致させることにより、請求項８と同様の作用を達成することができる。
【００４３】
請求項１０の局所清浄型空気清浄機であれば、前記検出手段として、空気の汚れ度として空気中のガス成分を計測するものを採用するのであるから、空気中のガス成分を計測することにより空気の汚れ度の計測結果を得ることができ、空気の汚れ度の計測結果からどこが清浄空間であるかを判別することができ、使用者の呼吸点などと清浄空間とを一致させることにより、請求項８または請求項９と同様の作用を達成することができる。
【００４４】
請求項１１の局所清浄型空気清浄機であれば、前記検出手段として、空気の汚れ度として空気中のアレルゲン量を計測するものを採用するのであるから、空気中のアレルゲン量を計測することにより空気の汚れ度の計測結果を得ることができ、空気の汚れ度の計測結果からどこが清浄空間であるかを判別することができ、使用者の呼吸点などと清浄空間とを一致させることにより、請求項８から請求項１０の何れかと同様の作用を達成することができる。
【００４５】
請求項１２の局所清浄型空気清浄機であれば、前記検出手段として、空気の汚れ度として空気中の塵埃量を計測し、塵埃量とアレルゲン量との相関と、計測された塵埃量とから空気中のアレルゲン量を算出するものを採用するのであるから、空気中の塵埃量の計測値から空気中のアレルゲン量を算出し、算出したアレルゲン量から空気の汚れ度の計測結果を得ることができ、空気の汚れ度の計測結果からどこが清浄空間であるかを判別することができ、使用者の呼吸点などと清浄空間とを一致させることにより、請求項１１と同様の作用を達成することができる。
【００４６】
請求項１３の局所清浄型空気清浄機であれば、前記局所清浄型空気清浄機本体と遠隔部とが電気的に接続されているので、請求項１から請求項１２の何れかの作用に加え、遠隔部の長時間の連続使用が可能になる。
【００４７】
請求項１４の局所清浄型空気清浄機であれば、前記局所清浄型空気清浄機本体と遠隔部とが電気的に分離されているので、請求項１から請求項１２の何れかの作用に加え、遠隔部を電気配線による制約を受けることなく自由に移動させることができる。
【００４８】
請求項１５の局所清浄型空気清浄機であれば、前記遠隔部として、局所清浄型空気清浄機本体からの電源の供給、商用交流電源からの電源の供給の何れをも受け入れ可能な電源受け入れ部を有するものを採用するのであるから、請求項１から請求項１２の何れかの作用に加え、遠隔部の長時間の連続使用が可能になるとともに、遠隔部の使用箇所の自由度を大きくすることができる。
【００４９】
請求項１６の局所清浄型空気清浄機であれば、前記局所清浄型空気清浄機本体として、検出手段による検出結果を表示する表示手段を含むものを採用するのであるから、請求項１から請求項１５の何れかの作用に加え、遠隔部に表示手段を設ける必要がなくなり、遠隔部を小型化できる。
【００５１】
請求項１７の局所清浄型空気清浄機であれば、前記遠隔部として、検出手段による検出結果を局所清浄型空気清浄機本体へ送信する送信手段を含むものを採用するのであるから、請求項１から請求項１６の何れかの作用に加え、検出手段による検出結果に基づいて局所清浄型空気清浄機本体の制御を行うことができる。
【００５２】
請求項１８の局所清浄型空気清浄機であれば、前記遠隔部として、局所清浄型空気清浄機本体の運転を行わせるための運転指示手段を含むものを採用するのであるから、請求項１から請求項１７の何れかの作用に加え、局所清浄型空気清浄機本体から離れた場所から簡単に局所清浄型空気清浄機本体の運転を指示することができる。
【００５３】
請求項１９の局所清浄型空気清浄機であれば、前記局所清浄型空気清浄機本体として、検出手段による検出結果に応答して自動運転を行う自動運転手段を含むものを採用するのであるから、請求項１から請求項１８の何れかの作用に加え、局所清浄型空気清浄機本体を自動運転させることができる。
【００５８】
請求項２０の局所清浄型空気清浄機であれば、清浄空気吹き出し口と清浄空間との距離を、３０ｃｍ以上、かつ１５０ｃｍ以下の所定距離に設定するのであるから、使用者の呼吸点などと清浄空気吹き出し口との距離を３０ｃｍ以上、かつ１５０ｃｍ以下の所定距離に設定することにより、使用者に圧迫感を与えることを防止し、しかも、ベッドのほぼ全幅の範囲内において使用者の呼吸点の近傍を迅速に清浄化することができるとともに、請求項１から請求項１９の何れかと同様の作用を達成することができる。
【００６０】
【発明の実施の形態】
以下、添付図面を参照して、この発明の局所清浄型空気清浄機の実施の態様を詳細に説明する。
【００６１】
図１はこの発明の局所清浄型空気清浄機の一実施態様を示す概略図である。
【００６２】
この局所清浄型空気清浄機は、局所清浄型空気清浄機本体１１０と、遠隔部としてのリモコン８１とを有している。なお、局所清浄型空気清浄機本体１１０とリモコン８１とは電気的に接続されていてもよいが、電気的に接続されていなくてもよい。そして、電気的に接続されていれば、リモコン８１が紛失するおそれがなくなり、逆に、電気的に接続されていなければ、リモコン８１を自由に、かつ広範囲にわたって移動させることができる。
【００６３】
図２は局所清浄型空気清浄機本体１１０の清浄空気吹き出し側を示す正面図、図３は図２のＩＩＩ−ＩＩＩ線断面図である。
【００６４】
この局所清浄型空気清浄機本体１１０は、四角筒状のケーシング１１１の背面側に吸入口グリル１１２を有し、上面所定位置に操作部１１３を有し、中央部に、複数本の支柱１１４および背板１１５により支持されるモータ１１６を有している。このモータ１１６は、吸入口グリル１１２に向かう方向に回転軸が突出しており、この回転軸に羽根車１１７が固定されている。したがって、四角筒状のケーシング１１１の、吸入口グリル１１２装着部と反対側の開口部が清浄空気吹き出し口１２０である。また、吸入口グリル１１２の内方に濾過部材１１８を設け、濾過部材１１８と羽根車１１７との間に、吸い込み空気を効果的に羽根車１１７に導く仕切り板１１９を設けている。なお、前記羽根車１１７は、例えば、ターボファンのように遠心型のものを採用している。これは、濾過部材１１８として捕集効率の高いものを使用するので、風量の割に大きな静圧が必要であり、この要請を満足するためである。
【００６５】
また、羽根車１１７による吹き出し流を減速させて動圧を回収するとともに、吹き出し風速分布を均一に近づけるディフューザーを設けることが好ましい。さらに、吹き出し流路内に羽根車１１７による吹き出し流の旋回速度成分を除去する形状の静翼を設けることが好ましい。さらにまた、吹き出し口に抵抗体を配置して吹き出し口の風速分布が一様になるようにすること、または、この抵抗体の抵抗を場所により変化させて吹き出し風速を制御することが好ましい。また、吹き出し流路壁面に吸音材を設けて運転音を低減することが好ましい。
【００６６】
図２５は局所清浄型空気清浄機本体１１０の他の構成例を示す中央縦断面図である。
【００６７】
この局所清浄型空気清浄機１１０は、背面中央部に空気吸い込み口１３１ａを有するとともに、前面のほぼ全範囲を清浄空気吹き出し口１３１ｂとするケーシング１３１と、空気吸い込み口１３１ａを覆うようにケーシング１３１の背面に設けたプレフィルタ（例えば、大径の埃粒子などのみを除去するフィルタ）１３２と、ケーシング１３１の内部において空気吸い込み口１３１ａの前方に図示しない支持部材を介して設けたファンモータ１３３と、ファンモータ１３３と空気吸い込み口１３１ａとの間に位置するように設けられ、かつファンモータ１３３により回転させられるファン１３４と、ファン１３４の全外周を所定距離を隔てて包囲する円筒壁部材１３５と、円筒壁部材１３５の開口部から所定距離だけ前方においてケーシング１３１の方形空間に支持されたメインフィルタ（空気浄化能力が高いフィルタ）１３６と、清浄空気吹き出し口１３１ｂに設けた前面グリル１３７とを有している。前記ファン１３４は、ターボファンのような遠心型のものである。また、前記円筒壁部材１３５は、一端が中心のファン吸い込み空間を残して閉じたものであり、他端が空気吹き出し用の開口部である。また、ファンモータ１３３のカバーが空気通路の内側のディフューザーを兼ねている。さらに、メインフィルタ１３６の、空気の流れの上流側の面に、光触媒作用を有する金属酸化物を担持してなる光触媒層１３８を設けているとともに、光触媒層１３８よりも、空気の流れの上流側の所定位置に、紫外光を含む光を照射する光源１３９を設けている。さらに、光源１３９の、空気の流れの上流側に近接する所定位置に、汚れ防止カバー１３９ａを設けている。
【００６８】
これらの構成の局所清浄型空気清浄機本体１１０を採用すれば、幅の広い、風速分布の一様な清浄空気流を送ることができ、低い風速でも効果的な局所清浄効果を得ることができるとともに、高い静粛性を達成することができる。ここで、局所は、清浄空気吹き出し口１２０から３０ｃｍ以上、かつ１５０ｃｍ以下の範囲における所定領域であることが好ましい。なぜならば、３０ｃｍ未満であれば、十分な静粛性を達成できないとともに、圧迫感を与えるからであり、１５０ｃｍより大きければ、十分な局所清浄効果を達成できないからである。また、１５０ｃｍ以下の範囲であれば、ベッドの全幅の範囲をカバーすることができ、実用的な範囲を清浄化することができる。ただし、４０ｃｍ以上、かつ１００ｃｍ以下の範囲であることが好ましく、静粛性を一層高めるとともに、圧迫感を一層低減でき、しかも、小さめのベッドの全幅の範囲をカバーすることができる。
【００６９】
また、光触媒層１３８および光源１３９が設けられている場合には、ダニアレルゲンなどの不活性化、変質、化学物質の分解除去、脱臭などを達成することができる。
【００７０】
図４はリモコン８１の電気的構成を示すブロック図、図５はリモコン８１の内部機構を概略的に示す平面図、図６はリモコン８１の中央縦断正面図、図７はリモコン８１の中央縦断側面図、図８はリモコン８１の分解斜視図である。
【００７１】
このリモコン８１は、記憶装置３０と、埃検出部１０と、電池９１と、電源回路９２と、ファンモータ９３と、操作部９４と、表示部９５と、送信部９６と、マイコン９７とを有している。なお、９８は空気取り入れ口、９９は空気排出口、９０は緩衝材である。
【００７２】
前記電池９１はリモコン８１の電源として作用するものであり、電源回路９２を通して埃検出部１０、ファンモータ９３およびマイコン９７に動作用電源を供給する。また、電池９１の端子間電圧をＡ／Ｄ変換部９７ａを通してマイコン９７に取り込み、電池９１が正常か交換が必要かを判定する。前記ファンモータ９３は、埃検出部１０による埃検出のために使用されるものであり、暗箱の内部に測定対象空気を導入する。
【００７３】
前記操作部９４は、運転／停止の指示、運転風量の指示などを行なうとともに、アレルゲンの種類の選択をも行なうものである。また、手動操作による運転／検出されたアレルゲンに関する情報に基く運転の指示をも行なう。
【００７４】
前記表示部９５は、液晶表示器により運転／停止の表示、運転風量の表示等を行なうとともに、マイコン９７から出力されるアレルゲンに関する情報（アレルゲン量など）の表示を行なうものである。
【００７５】
前記マイコン９７は、従来の空気清浄機に設けられているリモコンと同様の処理を行なうとともに、所定の処理（例えば、図１４に示すフローチャートの処理）をも行なうものである。また、手動操作に対応する制御信号およびアレルゲンに関する情報に対応する制御信号を送信部９６を介して空気清浄機本体８２に供給する。もちろん、このマイコン９７は暦データおよび計時機能を有している。図９はこの発明の局所清浄型空気清浄機に適用されるアレルゲン検出装置（検出手段）の一例を示すブロック図である。
【００７６】
このアレルゲン検出装置は、埃検出部１０と、アレルゲン量算出部２０とを有している。
【００７７】
前記埃検出部１０は、埃センサ１１と、所定のサンプリング時間（例えば、０．０１秒）毎に埃センサ１１からの埃検出信号を取り込んで一時的に、かつ時系列的に所定個数（例えば、１００個）だけ保持する埃検出出力保持部１２と、埃検出出力保持部１２により時系列的に保持されている所定個数の埃検出出力に基いて、時系列的に隣り合う埃検出出力どうしの差の絶対値を算出する差算出部１３と、差算出部１３により算出された差の絶対値を累積的に加算して累積値を得る累積値算出部１４と、累積値算出部１４により算出された累積値を入力として埃の濃度等を出力する埃検出値出力部１５とを有している。
【００７８】
ただし、差算出部１３、累積値算出部１４の処理は、埃検出出力保持部１２に所定個数の埃検出出力が保持される毎に行なってもよいが、前記所定のサンプリング時間毎に行なってもよい。もちろん、後者の場合には、埃検出出力保持部１２に必要最小限の埃検出出力（２個の埃検出出力）を保持するだけで足りる。
【００７９】
前記埃検出値出力部１５は、大粒径の埃粒子に対して小粒径の埃粒子が含まれていると経験的に知見できる累積値と埃の全体量との相関を考慮して埃の濃度等を出力するものである。
【００８０】
図１０は前記埃センサ１１の一例の内部機構を示す平面図、図１１は概略正面図である。
【００８１】
この埃センサ１１は、発光ダイオードなどからなる発光部１ａおよびフォトダイオードなどからなる受光部１ｂが搭載された基板１と、暗箱（ケース体）２とから構成されている。ここで、基板１としては、例えば、ガラスエポキシからなるプリント配線基板が例示でき、暗箱２としては、例えば、アクリルニトリルブタジエンスチレン共重合体（以下、ＡＢＳと略称する）を用いて形成された箱体が例示できる。
【００８２】
暗箱２は全体が直方体状の箱体であり、その内部に上方に延びる壁部材を形成することにより、発光部収容空間２ａ、受光部収容空間２ｂを形成しているとともに、発光部収容空間２ａ、受光部収容空間２ｂにそれぞれレンズ系２ｃ、２ｄを設けている。そして、両レンズ系２ｃ、２ｄの光軸が互いに所定の角度をなすように両レンズ系２ｃ、２ｄが配置されている。また、レンズ系２ｃの光軸上であって、発光部収容空間２ａの内奥部に発光部１ａを侵入させるための穴が形成されている。なお、レンズ系２ｃは省略することが可能である。
そして、発光部収容空間２ａと受光部収容空間２ｂとの中間部に、発光部１ａからレンズ系２ｃを通して出射される光が直接レンズ系２ｄを通して受光部１ｂに導かれることを防止する遮光部材２ｅが設けられている。また、ノイズ光として作用する可能性がある光がレンズ系２ｄを通して受光部１ｂに導かれることを防止するノイズ光遮光部材２ｆが発光部収容空間２ａ、受光部収容空間２ｂ、遮光部材２ｅとほぼ正対する位置に設けられている。ノイズ光遮光部材２ｆは複数個設けられており、互いに隣り合うノイズ光遮光部材２ｆによってノイズ光減衰室を構成している。このノイズ光減衰室に導入された光はこの室の吸光度が高い内壁面で複数回反射させられることにより、その強度が十分に減衰させられる。また、発光部１ａからの直接光が照射されるノイズ光遮光部材２ｆの所定位置に直接光を通過させるための穴２ｊが形成されているとともに、このノイズ光遮光部材２ｆと、受光部収容空間２ｂを規定する板部材と、暗箱２の外壁部材とで光トラップ２ｋを構成している。さらに、遮光部材２ｅの先端に近接する所定位置に流体導入用の開口２ｉが設けられている。もちろん、基板１の対応箇所にも流体導入用の開口（図示せず）が設けられている。
【００８３】
前記アレルゲン量算出部２０は、例えば、図１２中（Ａ）に示す埃−アレルゲン相関関数を有しており、前記埃検出値出力部１５から出力される埃検出値を埃−アレルゲン相関関数に適用することにより、アレルゲン量を得て出力する。ここで、例えば、一般住環境におけるダニアレルゲン濃度が浮遊塵埃濃度に相関することが知られているので、この知見をもとに（必要があれば実験値を考慮して）前記埃−アレルゲン相関関数を得ることができる。例えば、ダニアレルゲンに対応する埃−アレルゲン相関関数であれば、埃検出値０．１ｍｇ／ｍ3に対してアレルゲン量約１００ｐｇ／ｍ3が対応することになる。また、図１２には、（Ｂ）に示す大小判定表および（Ｃ）に示すレベル換算表をも示している。
【００８４】
上記の構成のアレルゲン検出装置の作用は次のとおりである。
【００８５】
所定のサンプリング時間毎に時系列的に取り込まれた埃検出出力どうしの差を累積的に加算して累積値を得れば、この累積値は、埃検出出力（パルス出力）の出現頻度と高さとの双方を反映した値になる。すなわち、パルス出力が高いほど、またパルス出力が多く出現するほど累積値が大きくなる。したがって、累積値を得ることにより、埃検出出力を評価して評価値を出力したことになる。そして、この累積値を入力として、埃検出値出力部１５によって埃の濃度等を出力することができる。埃検出値出力部１５は、差の累積値に基いて埃の濃度等を出力するのであるから、微量のハウスダストでもほぼ正確に検出することができる。さらに、光学系が汚れた場合には、全体的に埃センサからの埃検出出力のレベルが変動することになるが、この実施態様を採用した場合には、差に基く処理を行っているのであるから、埃検出出力のレベルの変動の影響を排除して正確に埃の濃度等を検出することができる。すなわち、汚れ等の経年変化に強くなる。さらにまた、煙草の煙のように緩慢な濃度変動を示す粒子との識別を達成することが可能であり、煙草の煙などによる誤検出を防止することができる。
【００８６】
そして、埃検出値出力部１５から出力される埃の濃度等をアレルゲン量算出部２０に供給すれば、埃の濃度等を埃−アレルゲン相関関数に適用してアレルゲン量を得て出力することができる。
【００８７】
ただし、前記アレルゲン検出装置において、差算出部１３により算出された差の絶対値が埃検出部の分解能以下であるか否かを判定する判定部と、差算出部１３により算出された差の絶対値が埃検出部の分解能以下であることを示す判定部の判定結果に応答して、差算出部１３により算出された差の絶対値を０に補正する差補正部とをさらに含むとともに、累積値算出部１４として、差算出部１３により算出された差の絶対値および差補正部において補正された値（０）を累積的に加算して累積値を得るものを採用する構成を採用してもよく、この場合には、著しく小さい差の絶対値が得られるはずであるにも拘らず、分解能に相当する値として採用され、しかもこの値が累積加算されることに起因する誤差の発生を未然に防止することができる。
【００８８】
また、差算出部１３により算出された差を複数個のランクにランク分けするとともに、各ランク毎に該当する差の数を計数し、花粉の粒径（例えば、杉花粉の場合、２０〜３０μｍ）の粒子に相当するランクの計数値を埃の個数濃度Ｄｐとして採用し、この埃の個数濃度Ｄｐに対して花粉係数Ｃｐを乗算すれば、花粉アレルゲン量を算出することができる。ただし、花粉の粒径の粒子に相当するランクの計数値のみを採用する代わりに、各ランクの計数値を重み付けして平均化することにより得られた値を採用してもよい。
【００８９】
図１３はアレルゲン検出装置の他の構成例を示すブロック図である。
【００９０】
このアレルゲン検出装置は、埃検出部１０と、記憶装置３０と、暦としての計時部４０と、スライドスイッチなどからなるアレルゲン選択部５０と、表示部６０と、埃検出部１０、記憶装置３０、計時部４０と、アレルゲン選択部５０からの出力信号を入力として所定の処理を行い、処理結果を記憶装置３０および表示部６０に供給するマイコン７０とを有している。
【００９１】
図１４は図１３のアレルゲン検出装置の処理を説明するフローチャートである。
【００９２】
ステップＳＰ１において、埃検出部１０からの埃検出出力を読み込み、ステップＳＰ２において、埃の重量濃度Ｄｈおよび埃の個数濃度Ｄｐを算出し、ステップＳＰ３において、暦データを読み込み、ステップＳＰ４において、選択されたアレルゲンの種類を読み込み、ステップＳＰ５からステップＳＰ７において、選択されたアレルゲンの種類がハウスダストか否か、ダニか否か、カビか否か、をそれぞれ判定する。
【００９３】
そして、選択されたアレルゲンの種類がハウスダストである場合には、ステップＳＰ８において、暦に応じたハウスダスト係数Ｃｈを記憶装置３０から読み出し、ステップＳＰ９において、ハウスダスト係数Ｃｈと埃の重量濃度Ｄｈとを乗算することによりハウスダストアレルゲン量Ａを算出する。
【００９４】
選択されたアレルゲンの種類がダニである場合には、ステップＳＰ１０において、暦に応じたダニ係数Ｃｍを記憶装置３０から読み出し、ステップＳＰ１１において、ダニ係数Ｃｍと埃の重量濃度Ｄｈとを乗算することによりダニアレルゲン量Ａを算出する。
【００９５】
選択されたアレルゲンの種類がカビである場合には、ステップＳＰ１２において、暦に応じたカビ係数Ｃｆを記憶装置３０から読み出し、ステップＳＰ１３において、カビ係数Ｃｆと埃の重量濃度Ｄｈとを乗算することによりカビアレルゲン量Ａを算出する。
【００９６】
選択されたアレルゲンの種類が、ハウスダスト、ダニ、カビの何れでもない場合には、ステップＳＰ１４において、暦に応じた花粉係数Ｃｐを記憶装置３０から読み出し、ステップＳＰ１５において、花粉係数Ｃｐと埃の個数濃度Ｄｐとを乗算することにより花粉アレルゲン量Ａを算出する。
【００９７】
ステップＳＰ９、ステップＳＰ１１、ステップＳＰ１３、ステップＳＰ１５の何れかの処理が行われた場合には、ステップＳＰ１６において、算出されたアレルゲン量Ａを表示部６０に出力し、そのまま一連の処理を終了する。
【００９８】
さらに詳細に説明する。
【００９９】
ハウスダストアレルゲン、ダニアレルゲン、カビアレルゲン、花粉アレルゲンの月別の係数は経験的に得ることができ、例えば、それぞれ図１５中（Ｂ）（Ｃ）（Ｄ）（Ｅ）に示すとおりである。なお、図１５中（Ａ）が月を示している。また、ハウスダストアレルゲン係数、ダニアレルゲン係数、カビアレルゲン係数の右端に表示しているＲｈ、Ｒｍ、Ｒｆはそれぞれ埃に対する各アレルゲンの構成比率である。例えば、ダニアレルゲンの場合、前述のように、埃検出値０．１ｍｇ／ｍ3に対してアレルゲン量約１００ｐｇ／ｍ3が対応するのであるから、Ｒｍ＝１０-6となる。他のアレルゲンについても同様にして構成比率を得ることができる。
【０１００】
したがって、埃検出部１０からの埃検出値をもとに埃の重量濃度Ｄｈおよび埃の個数濃度Ｄｐを算出し、暦データおよび選択されたアレルゲンの種類を図１５に適用してアレルゲン係数を算出し、算出された埃の濃度とアレルゲン係数とからアレルゲン量Ａを算出して表示部６０によりアレルゲン量を表示することができる。
【０１０１】
このアレルゲン量の表示としては、例えば、図１６中（Ａ）（Ｂ）（Ｃ）に示すようにアレルゲン量の大中小を絵表示すること、図１７に示すようにアレルゲン量をグラフ表示すること、図１８中（Ａ）に示すようにアレルゲン濃度をレベル表示すること、図１８中（Ｂ）に示すようにアレルゲン濃度を具体的な数値で表示すること、図１９に示すように、アレルゲン濃度を警報ランプにより表示することなどが可能である。ただし、図１９の場合には、非警告状態を示す清浄ランプは省略することが可能であり、また、警報ランプを１つのみにすることも可能である。
【０１０２】
ただし、花粉アレルゲンのように限られた時期にのみ存在するアレルゲンを除いて、アレルゲン係数を考慮することなく、埃の濃度をそのまま用いてアレルゲン量の多少を評価するようにしてもよい。
【０１０３】
そして、上記のアレルゲン量の表示を参照して局所清浄型空気清浄機本体の運転を手動操作などで制御すれば、必要な場合にのみ局所清浄型空気清浄機本体を運転することができ、省電力および騒音低減と、アレルゲン量の低減とを両立させることができる。
【０１０４】
この場合には、例えば、検出されたアレルゲン量の大中小に対応させて局所清浄型空気清浄機本体の運転風量を強中弱に制御すればよく、必要な場合に必要な運転風量で局所清浄型空気清浄機本体を自動運転することができ、省電力および騒音低減と、アレルゲン量の低減とを両立させることができる。
【０１０５】
ここで、局所清浄型空気清浄機本体としては、前面から空気を吸い込み、上面から清浄空気を吹き出す構成のもの、背面から空気を吸い込み、前面から清浄空気を吹き出す構成のものなど、種々の構成のものを採用することができる。
【０１０６】
図２０は局所清浄型空気清浄機本体１１０の配置例を示す斜視図である。
【０１０７】
この配置例においては、布団に寝ている人の呼吸点に対して、直接に低い風速の幅の広い清浄空気を供給することができ、ハウスダストなどのアレルゲンの影響を大幅に低減することができる。また、リモコン８１を手元（枕元）に配置しておけば、寝返りなどに起因する発塵に応答して局所清浄型空気清浄機本体１１０を自動的に運転することができる。その他、上記実施態様と同様の作用をも達成することができる。また、リモコン８１は、局所清浄型空気清浄機本体１１０に対して電気的に接続されていてもよいが、電気的に分離されていてもよい。前者の場合にはリモコン８１の長時間の使用が可能になり、後者の場合にはリモコン８１の使用可能箇所の自由度を広げることができる。さらに、リモコン８１は、局所清浄型空気清浄機本体１１０、商用交流電源の何れからでも電源の供給を受けることができる電源受け入れ部を有していることが好ましい。この場合には、長時間の使用が可能になるとともに、使用可能箇所の自由度を広げることができる。
【０１０８】
図２１は局所清浄型空気清浄機本体１１０とリモコン８１との関係を示す斜視図である。なお、図２１において清浄空気吹き出し範囲を破線で示している。
図２１においては、埃検出部１０を含むリモコン８１を移動させてアレルゲン量を計測することにより、清浄空間の範囲を簡単に確認することができる。その他、上記実施態様と同様の作用をも達成することができる。
【０１０９】
さらに詳細に説明する。
【０１１０】
例えば、就寝中の人の呼吸点に清浄空気が供給できるようにするために、局所清浄型空気清浄機本体１１０の設置位置、風向、風量を設定したり、局所清浄型空気清浄機本体１１０との関係で人が寝る位置を設定したりする場合に、人の感覚に頼ると、これらの設定が不正確になる。しかし、この実施態様を採用した場合には、リモコン８１に含まれる埃検出部１０を用いて清浄空間がどこに形成されているかを客観的に把握することができるので、局所清浄型空気清浄機本体１１０に必要以上に近づいて圧迫感を感じたり、音に煩わされたり、局所清浄型空気清浄機本体１１０から離れすぎて十分な清浄空気が得られなかったりするなどの不都合の発生を防止することができる。
【０１１１】
特に、局所清浄型空気清浄機本体１１０は、人にドラフト感を感じさせないように低風速で送風するので、どの範囲に清浄空気が十分に届いているかを人の感覚で判断することは困難である。しかし、この実施態様では、どの範囲に清浄空気が十分に届いているかを客観的に把握することができるので、適正な使用状態を実現することができる。
【０１１２】
また、清浄空気の吹き出し風速が遅いのであるから、局所清浄型空気清浄機本体１１０を配置した周囲の状況によって吹き出し風の広がる範囲が変化しやすくなり、同一の局所清浄型空気清浄機本体１１０を用いても、配置された箇所の状況によって形成される清浄空間の範囲が変化してしまう。しかし、この実施態様では、どの範囲に清浄空気が十分に届いているかを客観的に把握することができるので、適正な使用状態を実現することができる。
【０１１３】
図２２はリモコン８１の構成の他の例を示す透視斜視図、図２３は中央縦断面図である。
【０１１４】
このリモコン８１は、ケーシング８１ａの前面の上部に表示部８１ｂを設けているとともに、前面の下部に空気排出口８１ｃを設けている。そして、背面の上部に空気吸い込み口８１ｄを設けている。また、ケーシング８１ａの内部には通気穴が形成された内部壁部材８１ｅが設けられているとともに、この通気穴に対応させて内部壁部材８１ｅにファン８１ｆが設けられている。さらに、空気吸い込み口８１ｄから空気排出口８１ｃに至る空気通路の所定位置に埃センサ１１を設けているとともに、表示部８１ｂの内方に表示用プリント基板８１ｇを設けている。但し、埃センサ１１に代えて、ハウスダスト、アレルゲンなどを検出するセンサを採用してもよい。
【０１１５】
この構成を採用した場合には、ファン８１ｆを動作させることにより、空気吸い込み口８１ｄから空気を吸い込み、上方から下方に向けて空気を導き、埃センサ１１を通過させた後、空気排出口８１ｃから排出する。そして、埃粒子、ハウスダスト、アレルゲンなどは、たばこなどの煙と異なり、上昇するよりも下降するものが多いのであるから、埃粒子、ハウスダスト、アレルゲンなどを埃センサ１１に導入しやすく、適正な検出を達成することができる。
【０１１６】
図２４はリモコン８１の構成のさらに他の例を示す中央縦断面図である。
【０１１７】
このリモコン８１が図２３のリモコンと異なる点は、ケーシング８１ａの前面の下部に空気吸い込み口８１ｄを設け、上面の所定位置に空気排出口８１ｃを設けた点、ファン８１ｆを省略した点、表示用プリント基板８１ｇからの発熱により上向きの空気流を発生させるようにした点、埃センサに代えて、たばこの煙、ガスなどを検出するセンサ１１’を採用したのみである。
【０１１８】
この構成を採用した場合には、表示用プリント基板８１ｇからの発熱により発生させられた上向きの空気流によって、空気吸い込み口８１ｄからの空気の吸い込み、空気排出口８１ｃからの空気の排出を行わせ、センサ１１’に対する空気の供給をスムーズに行わせることができる。したがって、たばこの煙、ガスなどをセンサ１１’に導入しやすく、適正な検出を達成することができる。
【０１１９】
なお、この発明は上記の実施態様に限定されるものではなく、この発明の要旨を変更しない範囲内において種々の設計変更を施すことが可能である。例えば、検出手段として、直接アレルゲン量を計測するものを採用すること、塵埃を計測するものを採用すること、ガス成分を計測するものを採用すること、風速を計測するものを採用すること、風向を計測するもの（例えば、風速センサを複数個並べることにより風向を計測できる）を採用することなどが可能である。ここで、アレルゲン量、塵埃、ガス成分は、空気の汚れ度の指標として使用することができる。また、風速、風向は、直接的に空気の汚れ度の指標とはならないが、清浄対象空間か否かを判別するための指標として採用することができる。また、局所清浄型空気清浄機本体に表示部を設けてリモコンの表示部を省略することが可能であり、この場合には、リモコンを小型化することができる。さらに、空気を清浄化する手段として、メインフィルタ６に代えて、または加えて光触媒ユニットおよび紫外光を照射する光源を採用することが可能である。この構成を採用すれば、建材から出るホルムアルデヒド（アレルギーの原因物質として知られている）を分解除去することができるほか、アレルギーの原因となる他の化学物質の分解除去、脱臭にも有効であると思われる。
【０１２０】
【発明の効果】
請求項１の発明は、就寝中の人の呼吸点などに清浄空気が供給できるように局所清浄型空気清浄機本体の設置位置、風向、風量を設定し、または局所清浄型空気清浄機本体との関係で人が寝る位置を設定する場合に、人の感覚に頼ることなく、遠隔部の検出手段を用いて清浄空間がどこに形成されているかを客観的に把握することができ、使用者の呼吸点などと清浄空間とを一致させることにより、使用者の呼吸点などの局所を迅速に清浄化することができるとともに、局所清浄型空気清浄機本体に必要以上に近づいて圧迫感を感じたり、音に煩わされたり、また局所清浄型空気清浄機本体から離れすぎて十分な清浄空気が得られないなどの不都合の発生を防止することができ、さらに、遠隔部が局所清浄型空気清浄機本体から離れている場合であっても、表示手段による表示を簡単、かつ確実に確認することができ、さらに、使用者が遠隔部を持っている状態において、局所清浄型空気清浄機本体から吹き出される清浄空気をそのまま検出手段に導くことができ、この結果、ファンなどの専用の通風手段を設けることなく、もしくは比較的小型の通風手段を設けるだけで、検出手段に空気を導くことができるという特有の効果を奏する。
請求項２の発明は、就寝中の人の呼吸点などに清浄空気が供給できるように局所清浄型空気清浄機本体の設置位置、風向、風量を設定し、または局所清浄型空気清浄機本体との関係で人が寝る位置を設定する場合に、人の感覚に頼ることなく、遠隔部の検出手段を用いて清浄空間がどこに形成されているかを客観的に把握することができ、使用者の呼吸点などと清浄空間とを一致させることにより、使用者の呼吸点などの局所を迅速に清浄化することができるとともに、局所清浄型空気清浄機本体に必要以上に近づいて圧迫感を感じたり、音に煩わされたり、また局所清浄型空気清浄機本体から離れすぎて十分な清浄空気が得られないなどの不都合の発生を防止することができ、さらに、遠隔部が局所清浄型空気清浄機本体から離れている場合であっても、表示手段による表示を簡単、かつ確実に確認することができ、さらに、たばこなどの煙と異なり、上昇するものよりも下降するものが多い塵埃、アレルゲンをスムーズに検出手段に導入しやすく、適正な検出を行いやすいという特有の効果を奏する。
請求項３の発明は、就寝中の人の呼吸点などに清浄空気が供給できるように局所清浄型空気清浄機本体の設置位置、風向、風量を設定し、または局所清浄型空気清浄機本体との関係で人が寝る位置を設定する場合に、人の感覚に頼ることなく、遠隔部の検出手段を用いて清浄空間がどこに形成されているかを客観的に把握することができ、使用者の呼吸点などと清浄空間とを一致させることにより、使用者の呼吸点などの局所を迅速に清浄化することができるとともに、局所清浄型空気清浄機本体に必要以上に近づいて圧迫感を感じたり、音に煩わされたり、また局所清浄型空気清浄機本体から離れすぎて十分な清浄空気が得られないなどの不都合の発生を防止することができ、さらに、遠隔部が局所清浄型空気清浄機本体から離れている場合であっても、表示手段による表示を簡単、かつ確実に確認することができ、さらに、たばこなどの煙と異なり、上昇するものよりも下降するものが多い塵埃、アレルゲンをスムーズに検出手段に導入しやすく、適正な検出を行いやすいという特有の効果を奏する。
請求項４の発明は、就寝中の人の呼吸点などに清浄空気が供給できるように局所清浄型空気清浄機本体の設置位置、風向、風量を設定し、または局所清浄型空気清浄機本体との関係で人が寝る位置を設定する場合に、人の感覚に頼ることなく、遠隔部の検出手段を用いて清浄空間がどこに形成されているかを客観的に把握することができ、使用者の呼吸点などと清浄空間とを一致させることにより、使用者の呼吸点などの局所を迅速に清浄化することができるとともに、局所清浄型空気清浄機本体に必要以上に近づいて圧迫感を感じたり、音に煩わされたり、また局所清浄型空気清浄機本体から離れすぎて十分な清浄空気が得られないなどの不都合の発生を防止することができ、さらに、遠隔部が局所清浄型空気清浄機本体から離れている場合であっても、表示手段による表示を簡単、かつ確実に確認することができ、さらに、上昇するものが多いたばこの煙、ガスなどをスムーズに検出手段に導入しやすく、適正な検出を行いやすいという特有の効果を奏する。
【０１２１】
請求項５の発明は、気流を計測することにより、どこが清浄空間であるかを判別することができ、使用者の呼吸点などと清浄空間とを一致させることにより、請求項１から請求項４の何れかと同様の効果を奏する。
【０１２２】
請求項６の発明は、風速を計測することにより気流の計測結果を得ることができ、気流の計測結果からどこが清浄空間であるかを判別することができ、使用者の呼吸点などと清浄空間とを一致させることにより、請求項５と同様の効果を奏する。
【０１２３】
請求項７の発明は、風向を計測することにより気流の計測結果を得ることができ、気流の計測結果からどこが清浄空間であるかを判別することができ、使用者の呼吸点などと清浄空間とを一致させることにより、請求項５または請求項６と同様の効果を奏する。
【０１２４】
請求項８の発明は、空気の汚れ度を計測することにより、どこが清浄空間であるかを判別することができ、使用者の呼吸点などと清浄空間とを一致させることにより、請求項１から請求項４の何れかと同様の効果を奏する。
【０１２５】
請求項９の発明は、空気中の塵埃を計測することにより空気の汚れ度の計測結果を得ることができ、空気の汚れ度の計測結果からどこが清浄空間であるかを判別することができ、使用者の呼吸点などと清浄空間とを一致させることにより、請求項８と同様の効果を奏する。
【０１２６】
請求項１０の発明は、空気中のガス成分を計測することにより空気の汚れ度の計測結果を得ることができ、空気の汚れ度の計測結果からどこが清浄空間であるかを判別することができ、使用者の呼吸点などと清浄空間とを一致させることにより、請求項８または請求項９と同様の効果を奏する。
【０１２７】
請求項１１の発明は、空気中のアレルゲン量を計測することにより空気の汚れ度の計測結果を得ることができ、空気の汚れ度の計測結果からどこが清浄空間であるかを判別することができ、使用者の呼吸点などと清浄空間とを一致させることにより、請求項８から請求項１０の何れかと同様の効果を奏する。
【０１２８】
請求項１２の発明は、空気中の塵埃量の計測値から空気中のアレルゲン量を算出し、算出したアレルゲン量から空気の汚れ度の計測結果を得ることができ、空気の汚れ度の計測結果からどこが清浄空間であるかを判別することができ、使用者の呼吸点などと清浄空間とを一致させることにより、請求項１１と同様の効果を奏する。
【０１２９】
請求項１３の発明は、請求項１から請求項１２の何れかの効果に加え、遠隔部の紛失を確実に防止できるという特有の効果を奏する。
【０１３０】
請求項１４の発明は、請求項１から請求項１２の何れかの効果に加え、遠隔部を電気配線による制約を受けることなく自由に移動させることができるという特有の効果を奏する。
【０１３１】
請求項１５の発明は、請求項１から請求項１２の何れかの効果に加え、遠隔部の長時間の連続使用が可能になるとともに、遠隔部の使用箇所の自由度を大きくすることができるという特有の効果を奏する。
【０１３２】
請求項１６の発明は、請求項１から請求項１５の何れかの効果に加え、遠隔部に表示手段を設ける必要がなくなり、遠隔部を小型化できるという特有の効果を奏する。
【０１３４】
請求項１７の発明は、請求項１から請求項１６の何れかの効果に加え、検出手段による検出結果に基づいて局所清浄型空気清浄機本体の制御を行うことができるという特有の効果を奏する。
【０１３５】
請求項１８の発明は、請求項１から請求項１７の何れかの効果に加え、局所清浄型空気清浄機本体から離れた場所から簡単に局所清浄型空気清浄機本体の運転を指示することができるという特有の効果を奏する。
【０１３６】
請求項１９の発明は、請求項１から請求項１８の何れかの効果に加え、局所清浄型空気清浄機本体を自動運転させることができるという特有の効果を奏する。
【０１４１】
請求項２０の発明は、使用者の呼吸点などと清浄空気吹き出し口との距離を３０ｃｍ以上、かつ１５０ｃｍ以下の所定距離に設定することにより、使用者に圧迫感を与えることを防止し、しかも、ベッドのほぼ全幅の範囲内において使用者の呼吸点の近傍を迅速に清浄化することができるとともに、請求項１から請求項１９の何れかと同様の効果を奏する。
【図面の簡単な説明】
【図１】この発明の局所清浄型空気清浄機の一実施態様を示す概略図である。
【図２】局所清浄型空気清浄機本体の清浄空気吹き出し側を示す正面図である。
【図３】図２のＩＩＩ−ＩＩＩ線断面図である。
【図４】リモコンの電気的構成を示すブロック図である。
【図５】リモコンの内部機構を概略的に示す平面図である。
【図６】リモコンの中央縦断正面図である。
【図７】リモコンの中央縦断側面図である。
【図８】リモコンの分解斜視図である。
【図９】この発明の局所清浄型空気清浄機に適用されるアレルゲン検出装置（検出手段）の一例を示すブロック図である。
【図１０】埃センサの一例の内部機構を示す平面図である。
【図１１】同上の概略正面図である。
【図１２】埃−アレルゲン相関関数、大小判定表、レベル換算表の一例を示す図である。
【図１３】アレルゲン検出装置の他の構成例を示すブロック図である。
【図１４】図１３のアレルゲン検出装置の処理を説明するフローチャートである。
【図１５】ハウスダストアレルゲン、ダニアレルゲン、カビアレルゲン、花粉アレルゲンの月別の係数を示す図である。
【図１６】アレルゲン量の表示の一例を示す図である。
【図１７】アレルゲン量の表示の他の例を示す図である。
【図１８】アレルゲン量の表示のさらに他の例を示す図である。
【図１９】アレルゲン量の表示のさらに他の例を示す図である。
【図２０】局所清浄型空気清浄機本体の配置例を示す斜視図である。
【図２１】局所清浄型空気清浄機本体とリモコンとの関係を示す斜視図である。
【図２２】リモコンの構成の他の例を示す透視斜視図である。
【図２３】同上の中央縦断面図である。
【図２４】リモコンの構成のさらに他の例を示す中央縦断面図である。
【図２５】局所清浄型空気清浄機本体の他の構成例を示す中央縦断面図である。
【符号の説明】
１０  埃検出部    ６０、９５  表示部
８１  リモコン    ９４  操作部
７０、９７  マイコン    １１０  局所清浄型空気清浄機本体
【図１】
0004032195.tif 000002
【図２】
0004032195.tif 000003
【図３】
0004032195.tif 000004
【図４】
0004032195.tif 000005
【図５】
0004032195.tif 000006
【図６】
0004032195.tif 000007
【図７】
0004032195.tif 000008
【図８】
0004032195.tif 000009
【図９】
0004032195.tif 000010
【図１０】
0004032195.tif 000011
【図１１】
0004032195.tif 000012
【図１２】
0004032195.tif 000013
【図１３】
0004032195.tif 000014
【図１４】
0004032195.tif 000015
【図１５】
0004032195.tif 000016
【図１６】
0004032195.tif 000017
【図１７】
0004032195.tif 000018
【図１８】
0004032195.tif 000019
【図１９】
0004032195.tif 000020
【図２０】
0004032195.tif 000021
【図２１】
0004032195.tif 000022
【図２２】
0004032195.tif 000023
【図２３】
0004032195.tif 000024
【図２４】
0004032195.tif 000025
【図２５】
0004032195.tif 000026